(57)【要約】      （修正有）【課題】ノズルの移動時及び揺動時の振動を考慮することなく、シャッターの着脱時に視認性がよく交換が容易な人体洗浄装置を提供する。【解決手段】便器３に取り付けられたベースプレート１１と、ベースプレート１１に脱着可能に被着されるベースカバー１２と、人体の局部を洗浄するノズル２１と、ノズル２１の前方でベースプレート１１及びベースカバー１２によって形成された開口部１３と、開口部１３をノズル２１の移動に伴い開閉可能に回動するシャッター３１と、シャッター３１を有し、ノズル２１が挿通可能な中空形状のシャッターアダプタ３０とで構成されており、シャッターアダプタ３０が開口部１３のベースプレート１１側に着脱可能に取り付けられている構成とする。【選択図】図１
2011202417.tif 000002
【特許請求の範囲】
【請求項１】
便器に取り付けられたベースプレートと、前記ベースプレートに脱着可能に被着されるベースカバーと、人体の局部を洗浄するノズルと、前記ノズルの前方で前記ベースプレート及び前記ベースカバーによって形成された開口部とを備えた便座装置において、
前記開口部をノズルの移動に伴い開閉可能に回動するシャッターと、
前記シャッターを有し、前記ノズルが挿通可能な中空形状のシャッターアダプタとを備え、
前記シャッターアダプタが前記開口部の前記ベースプレート側に着脱可能に取り付けられることを特徴とする便座装置。
【請求項２】
前記ベースプレートは前記開口部に一対のガイド部を備え、該ガイド部に対して前記シャッターを有するシャッターアダプタが挿入され嵌着されることを特徴とする請求項１に記載の便座装置。
【発明の詳細な説明】
【技術分野】
【０００１】
本発明は、人体の局部洗浄の洗浄手段と便器内部とを遮断するシャッターを有する人体洗浄装置に関するものである。
【背景技術】
【０００２】
特許文献１には、便器上に設けられたベースプレート及びベースカバーによって形成され、内部に人体の局部を洗う洗浄手段を内装する本体と、本体の前部に開口部と、洗浄手段であるノズル本体と、ノズル本体を保持するノズルマウントと、開口部と便器内とを遮断するためのシャッターを前方に取り付けたシャッター部と、ノズルマウントとシャッター部とを着脱可能に取り付ける着脱機構とから構成される人体洗浄装置が開示されている。さらに、この人体洗浄装置には、ノズルマウントの先端より開口部から見える程度に延伸するガイドを備えており、シャッター部がガイドに沿って装着可能であることが開示されている。
【先行技術文献】
【特許文献】
【０００３】
【特許文献１】特許第４３４５４６５号（図２）
【発明の概要】
【発明が解決しようとする課題】
【０００４】
上記の従来技術である人体洗浄装置は、本体内部に設けられたノズル本体を保持するノズルマウントへガイドによってシャッター部を着脱する構造となっている。このため、人体洗浄装置は、着脱部分は本体に覆われているために視認性が悪く、ガイドによってのみ着脱部分であるノズルマウントを認識することから、着脱部分を見ることのできないシャッター部の取り付けは容易でない。さらに、人体洗浄装置は、ノズルマウントを介してベースプレート及びシャッター部を組み付けている。この組み付け誤差によって、人体洗浄装置は、シャッター部と開口部のベースカバーとの空間を広く設ける必要があり、洗浄水などの跳ね水等が浸入し易くて汚れるおそれがある。
【０００５】
従って、本発明は、シャッターの着脱部分の視認性がよく着脱が容易で清潔感を保つ人体洗浄装置を提供する。
【課題を解決するための手段】
【０００６】
上記の課題を解決するために講じた手段は、便器に取り付けられたベースプレートと、ベースプレートに脱着可能に被着されるベースカバーと、人体の局部を洗浄する洗浄ノズルと、洗浄ノズルの前方でベースプレート及びベースカバーによって形成された開口部と、開口部を洗浄ノズルの移動に伴い開閉可能に回動するシャッターと、シャッターを有し、洗浄ノズルが挿通可能な中空形状のシャッターアダプタとで構成されており、シャッターアダプタが開口部のベースプレート側に着脱可能に取り付けられている人体洗浄装置である。
【０００７】
さらに、ベースプレートは開口部に一対のガイド部を備え、ガイド部に対してシャッターを有するシャッターアダプタが挿入され嵌着される構成となっていると良い。
【発明の効果】
【０００８】
本発明によれば、シャッターアダプタが開口部のベースプレート側に着脱可能であるため、使用者は上方よりシャッターアダプタ及びベースプレートの着脱部分の確認が可能となるため視認性が良くなり、シャッターアダプタ及びベースプレートの着脱についても容易となる。さらに、人体洗浄装置は、シャッターアダプタがベースプレートに組み付けられるので、ノズルマウントに取り付けられるときに比べて部品構成が少なくなる。このため、シャッターアダプタとベースカバーとの間の空間は、ノズルマウントを介したシャッターアダプタ及びベースプレートとの組み付けによる誤差を考慮する必要がなく、狭くすることが可能となる。したがって、人体洗浄装置は、洗浄水などの跳ね水等のこの空間からの浸入による汚れを抑制できる。
【０００９】
さらに、シャッターアダプタに挿入部と、視認性の良いベースプレートにレール状のガイド部とを設けることで、シャッターアダプタの取り付ける際に、挿入部がレール状のガイド部に沿って挿入されるので取り付けが容易となる。また、ベースプレートのガイド部が本体内から開口部まで延在していることで、使用者は、ガイド部の確認が容易となるため、シャッターアダプタの取り付けを容易に行うことが可能となる。
【図面の簡単な説明】
【００１０】
【図１】本発明の実施例１における人体洗浄装置の断面図。
【図２】図１に示す本発明の実施例１におけるシャッターアダプタの形状を示す図。
【図３】シャッターアダプタ及び本体との組み付けを説明する説明図。
【図４】シャッターアダプタ及びベースプレートの装着を示す図。
【図５】シャッターアダプタの装着前の断面図。
【図６】シャッターアダプタ装着後の断面図。
【図７】本発明の実施例２における人体洗浄装置の断面図。
【図８】図７に示す本発明の実施例２におけるシャッターアダプタの形状を示す図。
【発明を実施するための形態】
【００１１】
本発明の実施形態について以下に説明する。
【００１２】
（実施例１）
本発明の実施例１に係わる人体洗浄装置の概要について、図１を用いて説明する。図１は便器３に取り付けた人体洗浄装置の断面図を示している。
【００１３】
図１に示すように、人体洗浄装置１は、便器３に取り付けられた本体１０と人体の局部を洗浄する洗浄手段２０等によって構成されている。本体１０は、便器３に取り付けるベースプレート１１とベースプレート１１を覆うようにベースカバー１２で構成されており、人体の局部を洗浄する洗浄手段２０が内蔵され、洗浄手段が便器３内側へと移動する前方には開口部１３が形成されている。この開口部１３には、シャッターアダプタ３０がベースプレート１１に着脱可能に取り付けられている。このシャッターアダプタ３０には、便器３内側に回動自在なシャッター３１が設けられている。また、洗浄手段２０は、人体の局部へ洗浄水を吐出するノズル２１を駆動手段４０である電動モータ（図示せず）に取り付けられたピニオン４１及びノズル２１に形成されたラック４２によって便器３内側へと移動する。この洗浄手段２０であるノズル２１は、シャッターアダプタ３０内を挿通し、シャッターアダプタ３０に取り付けられたシャッター３１を図１に示す時計方向（開方向）に押し開けて、洗浄位置まで移動して洗浄を行う構造となっている。
【００１４】
このように、シャッターアダプタ３０は、ノズルマウントを介さずにベースプレート１１に取り付けられている。このため、シャッターアダプタ３０に設けられたシャッター３１の回動部分とベースカバー１２との間の空間は、ノズルマウント４を介したシャッターアダプタ３０及びベースプレート１１との組み付けによる誤差を考慮する必要がなく、ノズルマウント４に取り付けられるときに比べて狭くすることが可能となり、洗浄水などの跳ね水等のこの空間からの浸入による汚れを抑制できる。
【００１５】
次に、本発明の実施例１に係わるシャッターアダプタ３０の構成について、図２から図４を用いて説明する。図２はシャッターアダプタ３０の形状を示す図を示し、図３はシャッターアダプタ３０及び本体１０との組み付けを説明する説明図を示している。さらに、図４はシャッターアダプタ３０及びベースプレート１１の装着を示す図を示している。
【００１６】
図２に示すように、シャッターアダプタ３０は、上部３２及び下部３３とこれらを互いに結合する側部３４によって、ノズル２１が挿通し、出没するように中空形状を成している。上部３２には、シャッター３１が回転自在に取り付けられており、下部３３には、ベースプレート１１に差し込む挿入部３５が形成されている。さらに、下部３３の略中央には、ベースプレート１１とから離脱を防ぐための係止部５１が形成されている。そして、側部３４には、シャッター３１を取り付ける軸受け３６が成形され、シャッター３１の回動軌道上に設けられたシャッター３１の一部を収容する収容溝３７によって、回動できる範囲を確保することでシャッター３１をノズル２１で押し開くことが可能となる。
【００１７】
図３に示すように、ベースプレート１１には、シャッターアダプタ３０の挿入部３５をベースプレート１１の装着完了位置まで導くガイド部１４を有している。このガイド部１４は、本体１０内から開口部１３まで設けられており、使用者が上方から目視した際に、使用者は開口部１３のガイド部１４を確認することが可能である。
【００１８】
図４に示すように、シャッターアダプタ３０の下部３３は、シャッターアダプタ３０がベースプレート１１に取付られた際、挿入部３５は、ガイド部１４及びベースプレート１１の便器３との取付面１５とに挟まれ、ガイド部１４を進み取り付けられる。これにより、シャッターアダプタ３０は、装着完了位置までガイド部１４に沿って進むことができるため取り付けが容易となる
次に、本発明の実施例１に係わるシャッターアダプタ３０のストッパ構造５０の構成及び着脱方法について、図５及び図６を用いて説明する。図５はシャッターアダプタ３０の装着の断面図を示し、図６はシャッターアダプタ３０の装着後の断面図を示している。
【００１９】
図５、図６に示すように、シャッターアダプタ３０とベースプレート１１を装着する際のストッパ構造５０は、シャッターアダプタ３０の略中央にベースプレート１１側へ突形状の係止部５１を形成し、ベースプレート１１のシャッターアダプタ３０を取り付ける部分の略中央に、シャッターアダプタ３０の係止部５１と係合する係止穴５２が形成されている。取り付けの際は、シャッターアダプタ３０の挿入部３５をシャッター３１の反対側からベースプレート１１のガイド部１４へ進入させ、係止部５１が係止穴５２と係合することで装着が完了する。取り外す際のストッパ構造５０は、シャッターアダプタ３０の下部３３のシャッター３１側に設けられたつまみ部５３をベースプレート１１側へ押し下げることで、シャッターアダプタ３０の下部３３の一部が支点となり、係止部５１が持ち上げられてベースプレート１１の係止穴５２と係止を解除することでシャッターアダプタ３０のベースプレート１１からの取り外しが可能となる。また、開口部１３には、ベースカバー１２とシャッター３１の回動軌道上に空間が設けられている。さらに、ベースカバー１２には、シャッター３１の回動軌道に合わせて細い先端部１２ａから断面が略曲線形状に形成されている。
【００２０】
（実施例２）
本発明の実施例２に係わる人体洗浄装置２の概要について、図７を用いて説明する。図７は便器３に取り付けた人体洗浄装置２の断面図を示している。
【００２１】
図７に示すように、人体洗浄装置２は、便器３に取り付けられた本体１０と人体の局部を洗浄する洗浄手段２０等によって構成されている。本体１０は、便器３に取り付けるベースプレート１１とベースプレート１１を覆うようにベースカバー１２で構成されており、人体の局部を洗浄する洗浄手段２０が内蔵され、洗浄手段２０が便器３内側へと移動する前方には開口部１３が形成されている。この開口部１３には、シャッターアダプタ３０がベースプレート１１に着脱可能に取り付けられている。このシャッターアダプタ３０には、便器３内側に回動自在なシャッター３１が設けられている。また、洗浄手段２０は、シリンダ２２と人体の局部へ洗浄水を吐出するノズル２３によって構成され、シリンダ２２内をノズル２３が洗浄手段２０の移動方向に摺動可能となっている。この洗浄手段は、シリンダ２２を便器３内側へと移動させ、ノズル２１から吐出される洗浄水の範囲を広くするためにシリンダ２２を揺動させる駆動手段６０と、シリンダ２２に供給する洗浄水の量を調節する調節弁６０を備えており、調節弁７０を通してシリンダ２２に洗浄水が供給されることでノズル２３がシリンダ２２と摺動する構造となっている。さらに、人体洗浄装置２には、シャッター３１を開けるための開閉機構８０が設けられている。この開閉機構８０は、シャッターアダプタ３０の後方に回動軸８１を有し、回動軸８１から延在する第１リンク８２とシャッター３１を押し開く第２リンク８３との間に介する屈曲部８４によって構成されている。さらに、第１リンク８２または屈曲部８４が、シリンダ２２の先端部２２ａの前方端面２２ｂまたは側部端面２２ｃと当接する。この開閉機構８０は、シリンダ２２が駆動手段６０によって移動することで、回動軸８１を中心に回動して第２リンク８３がシャッター３１と当接し、シャッター３１を図７に示す時計方向（開方向）に押し開く機構となっている。
【００２２】
次に、本発明の実施例２に係わるシャッターアダプタ３０の構成について、図８を用いて説明する。図８はシャッターアダプタ３０の形状を示す図を示している。
【００２３】
図８に示すように、シャッターアダプタ３０は、上部３２及び下部３３とこれらを互いに結合する側部３４によって、シリンダ２２及びノズル２３が挿通し、出没するように中空形状を成している。上部３２には、シャッター３１が回転自在に取り付けられており、下部３３には、ベースプレート１１に差し込む挿入部３５が形成されている。さらに、下部３３の略中央には、ベースプレート１１とから離脱を防ぐための係止部５１が形成されている。そして、側部３４には、シャッター３１を取り付ける軸受け３６が成形され、シャッター３１の回動軌道上に設けられたシャッター３１の一部を収容する収容溝３７によって、回動できる範囲を確保することでシャッター３１を開閉機構８０で押し開くことが可能となる。さらに、シャッター３１の後方には、開閉機構８０の回動軸８１を支持する軸受け８５が設けられている。この軸受け８５は、開閉機構８０の第１リンク８２を回動自在に支持することで、シリンダ２２の動きに合わせて開閉機構８０を回動してシャッター３１を開閉することが可能となる。
【００２４】
以上、実施例の構成について説明したが、本発明はこれに限定されるものではなく、以下に示す態様に変更してもよい。
【００２５】
・実施例１のシャッターアダプタが実施例２の洗浄手段２０に取り付けられ、実施例２のシャッターアダプタが実施例１の洗浄手段２０に取り付けられていても良い。
【００２６】
・ベースカバー１２は、シャッター３１の回動軌道に合わせて細い先端部１２ａから断面が略曲線形状に形成されず、シャッターの回動軌道を妨げないようにベースプレート１１と開口部１４を形成しても良い。
【００２７】
・本発明の実施例に記載された挿入部３５は、ベースプレート１１にシャッターアダプタ３１の着脱を容易にするために、シャッターアダプタ３１をベースプレート１１のガイド部１４に対して導くように挿入するため部材である。この挿入部３５は、ベースプレート１１にガイド部１４が形成されていることを前提として、それに伴って下部３３に形成されることに限定されるものではない。
【符号の説明】
【００２８】
１、２  人体洗浄装置
１０  本体
１１  ベースプレート
１２  ベースカバー
１３  開口部
１４  ガイド部
２０  洗浄手段
２１、２３  ノズル
２２  シリンダ
３０  シャッターアダプタ
３１  シャッター
３５  挿入部
４０、６０  駆動手段
８０  開閉機構
【図１】
2011202417.tif 000003
【図２】
2011202417.tif 000004
【図３】
2011202417.tif 000005
【図４】
2011202417.tif 000006
【図５】
2011202417.tif 000007
【図６】
2011202417.tif 000008
【図７】
2011202417.tif 000009
【図８】
2011202417.tif 000010